(57)【要約】【課題】室内空間全体を適切な温度に制御でき、効率のよい運転制御が可能な空気調和機を提供することにある。【解決手段】この空気調和機１は、石油ファンヒータ５１のいずれかと共同して空気調和を行う空気調和機１であって、調和部４１と、制御部とを備えている。調和部４１は空気調和を行う。制御部は、調和部４１の運転を制御し、石油ファンヒータ５１と情報交換可能に接続されている。【選択図】　　　図２
2004020164.tif 000002
【特許請求の範囲】
【請求項１】
暖房機器、健康機器及び情報家電機器を含む他の機器の少なくともいずれか１つと共同して空気調和を行う空気調和機（１）であって、
空気調和を行う調和部（２，３）と、
前記調和部（２，３）の運転を制御し、前記他の機器と情報交換可能に接続された制御部と、
を備えた空気調和機（１）。
【請求項２】
暖房機器、健康機器及び情報家電機器を含む他の機器の少なくともいずれか１つと、
前記他の機器と共同して空気調和を行い、空気調和を行う調和部（２，３）と、前記調和部（２，３）の運転を制御し、前記他の機器と情報交換可能に接続された制御部とを有する空気調和機（１）と、
を備えた空気調和システム。
【請求項３】
前記他の機器は、石油ファンヒータ（５１）及びガスファンヒータを含む前記暖房機器の少なくともいずれか１つである、請求項２に記載の空気調和システム。
【請求項４】
前記空気調和機（１）は、前記暖房機器のサーキュレータとして作動する、請求項３に記載の空気調和システム。
【請求項５】
前記空気調和機（１）は、室内に設置され周辺温度を検知可能な室内機（２）と、前記調和部（２，３）の動作を遠隔操作可能であり、周辺温度を検知可能なリモコンとをさらに有し、前記室内機（２）が検知した温度と前記リモコンが検知した温度との差が所定の温度差を超えた場合に運転開始する、
請求項３または４に記載の空気調和システム。
【請求項６】
前記空気調和機（１）は、室内に設置され周辺温度を検知可能でありかつ放射温度計を有する室内機（２）をさらに有しており、前記放射温度計が検知した温度と前記室内機（２）が検知した温度との差が所定の温度差を超えた場合に運転開始する、
請求項３または４に記載の空気調和システム。
【請求項７】
前記空気調和機（１）は、室内と室外との温度差が所定の温度差を超えた場合に運転開始する、請求項３または４に記載の空気調和機（１）。
【請求項８】
前記空気調和機（１）は、前記暖房機器の運転開始に伴って運転開始する、請求項３または４に記載の空気調和システム。
【請求項９】
前記暖房機器は、周辺温度を検知可能であり、
前記空気調和機（１）は、室内に設置され周辺温度を検知可能な室内機（２）と、前記調和部（２，３）の動作を遠隔操作可能かつ周辺温度を検知可能なリモコンとをさらに有しており、前記リモコンまたは前記暖房機器が検知した温度と前記室内機（２）が検知した温度との差が所定の温度差を超えた場合に運転開始する、
請求項３または４に記載の空気調和システム。
【請求項１０】
前記空気調和機（１）は、室内に設置され周辺温度を検知可能でありかつ放射温度計を有する室内機（２）をさらに有し、前記放射温度計が検知した温度と前記室内機（２）が検知した温度との差に基づいて運転強度を決定する、
請求項３から９のいずれかに記載の空気調和システム。
【請求項１１】
室内上方の温度と室内下方の温度とを検知可能であり、前記室内上方と前記室内下方との温度差に基づいて運転強度を決定する、請求項３から９のいずれかに記載の空気調和システム。
【請求項１２】
前記暖房機器または空気調和機（１）のいずれか運転コストの小さい方の運転強度を増大させる、請求項３から１１のいずれかに記載の空気調和システム。
【請求項１３】
前記空気調和機（１）及び暖房機器の一方が運転強度を増大して運転し得なくなった場合に、前記空気調和機（１）及び暖房機器の他方の運転強度を増大させる、請求項３から１２のいずれかに記載の空気調和システム。
【請求項１４】
前記他の機器は、体温計（５３）及び血圧計を含む健康機器の少なくともいずれか１つであり、ユーザーの身体情報の測定を終了すると測定した前記身体情報を前記空気調和機（１）に送信する、請求項２に記載の空気調和システム。
【請求項１５】
前記健康機器が測定した身体情報に基づいて前記空気調和機（１）の現在の運転条件を変更すべきことを前記ユーザーに提案するとともに、提案された内容の一部または全部が前記ユーザーの選択により実行可能である、請求項１４に記載の空気調和システム。
【請求項１６】
前記健康機器は体温計（５３）であり、
前記空気調和機（１）は、前記体温計（５３）が測定した前記ユーザーの体温が予め設定された基準温度を超える場合は、室内の温度を上昇させるよう運転制御される、
請求項１４または１５に記載の空気調和システム。
【請求項１７】
前記健康機器は体温計（５３）であり、
前記空気調和機（１）は、前記体温計（５３）が測定した前記ユーザーの体温が予め設定された基準温度を超える場合は、室内の湿度を上昇させるよう運転制御される、
請求項１４から１６の少なくともいずれか１つに記載の空気調和システム。
【発明の詳細な説明】
【０００１】
【発明の属する技術分野】
本発明は、空気調和機、特に、暖房機器、健康機器及び情報家電機器を含む他の機器の少なくともいずれか１つと共同して空気調和を行う空気調和機に関する。また、本発明は、空気調和システムに関する。
【０００２】
【従来の技術】
ユーザーの希望する温熱空間を室内に生成し得る機器として、空気調和機がある。空気調和機は、一般に、ユーザーの希望に応じて空気調和を行う調和部と、調和部の運転を制御する制御部とを備えている。調和部は、室内に設置される室内機と、屋外に設置される室外機とを有している。室内機は、通常、室内の壁面の上方位置に設置される。
【０００３】
一方、空気調和機の他に、室内に所望の温熱空間を生成し得る機器として、石油ファンヒータ、ガスファンヒータ等の暖房機器がある。この種の暖房機器は、通常、床の上に据え置かれるなどして室内の下方位置に配置される。
これらの空気調和機及び暖房機器は、ユーザーによっては、例えば、冷房を目的とする場合は空気調和機を用い、また、暖房を目的とする場合は空気調和機に代えて暖房機器を用いる等して使い分けられる場合がある。
【０００４】
【発明が解決しようとする課題】
しかしながら、暖房運転の際は、暖かい空気は室内の上層部分に滞留し易く、室内下方には暖かい空気が環流されにくい。このため、室内下方の床の上に据え置かれた暖房機器は比較的低い周辺温度を検知して必要以上の強度で運転を続け、その結果、室内上方では所望以上の高温になり、エネルギー効率の悪い運転をしてしまう場合がある。
【０００５】
空気調和機、暖房機器等は、一般に、比較的多くのユーザーが好むような運転条件で運転するよう制御されるが、このようなエネルギー効率の悪い運転制御は、省エネ性の向上を望むユーザーにとっては好ましいものではない。
また、ユーザーに適した室内空間といっても、ユーザーの体質や、また、同じユーザーであってもその時の健康状態によって異なる場合がある。
【０００６】
本発明の課題は、室内空間全体を適切な温度に制御でき、効率のよい運転制御が可能な空気調和機及び空気調和システムを提供することにある。
また、本発明の別の課題は、個々のユーザーに適した運転制御が可能な空気調和機及び空気調和システムを提供することにある。
さらに、本発明の別の課題は、ユーザーの健康状態等、ユーザーごとの環境に応じた運転制御が可能な空気調和機及び空気調和システムを提供することにある。
【０００７】
【課題を解決するための手段】
請求項１に係る空気調和機は、暖房機器、健康機器及び情報家電機器を含む他の機器の少なくともいずれか１つと共同して空気調和を行う空気調和機であって、調和部と、制御部とを備えている。調和部は空気調和を行う。制御部は、調和部の運転を制御し、他の機器と情報交換可能に接続されている。本発明において情報交換される内容としては、例えば、室内上方及び下方の温度、他方の機器の運転状態や、ユーザーの体温、血圧等が挙げられる。
【０００８】
この空気調和機では、他の機器との間で種々の情報を交換することにより他の機器と連動した動作が可能となり、他の機器と共同して空気調和を行うことができる。
したがって、他の機器として暖房機器を用いた場合は、例えば、空気調和機及び暖房機器が協調してエネルギー効率の高い運転を行えるようになるため、省エネ性の向上を図ることができ、個々のユーザーに適した空気調和が可能となる。また、他の機器として健康機器を用いた場合は、例えば、空気調和機が健康機器からの情報に基づいてユーザーに適した運転条件で運転できるようになるため、ユーザーの健康状態に適した空気調和が可能となる。
【０００９】
請求項２に係る空気調和システムは、他の機器の少なくともいずれか１つと、空気調和機とを備えている。他の機器は、暖房機器、健康機器及び情報家電機器を含む。空気調和機は、他の機器と共同して空気調和を行い、空気調和を行う調和部と、調和部の運転を制御し、他の機器と情報交換可能に接続された制御部とを有する。
【００１０】
この空気調和システムでは、空気調和機及び他の機器は、種々の情報を交換することにより連動した動作が可能となり、共同して空気調和を行うことができる。
したがって、他の機器として暖房機器を用いた場合は、例えば、空気調和機及び暖房機器が協調してエネルギー効率の高い運転を行えるようになるため、省エネ性の向上を図ることができ、個々のユーザーに適した空気調和が可能となる。また、他の機器として健康機器を用いた場合は、例えば、空気調和機が健康機器からの情報に基づいてユーザーに適した運転条件で運転できるようになるため、ユーザーの健康状態に適した空気調和が可能となる。
【００１１】
請求項３に係る空気調和システムは、請求項２の空気調和システムにおいて、他の機器は、石油ファンヒータ及びガスファンヒータを含む暖房機器の少なくともいずれか１つである。
この空気調和システムでは、一般に、暖房機器として石油ファンヒータやガスファンヒータが用いられることが多いことから、特にこのような機器と共同して空気調和を行う場合を対象としている。
【００１２】
請求項４に係る空気調和システムは、請求項３または４の空気調和システムにおいて、空気調和機は暖房機器のサーキュレータとして作動する。
この空気調和システムでは、空気調和機がサーキュレータとして作動することにより、暖房機器により生成された暖かい空気を室内全体に拡散させることができるため、温度差の少ない空間を生成できる。
【００１３】
請求項５に係る空気調和システムは、請求項３または４の空気調和システムにおいて、空気調和機は、室内機と、リモコンとをさらに有している。室内機は、室内に設置され周辺温度を検知可能である。リモコンは、調和部の動作を遠隔操作可能であり、周辺温度を検知可能である。そして、空気調和機は、室内機が検知した温度とリモコンが検知した温度との差が所定の温度差を超えた場合に運転開始する。
【００１４】
一般に、室内機は室内の上方位置に設置され、リモコンは室内の下方位置に配置されることが多い。そこで、この空気調和システムでは、室内機が検知した温度とリモコンが検知した温度との差が大きくなった場合に、室内上方と室内下方との温度差（以下、上下温度差ともいう）が大きくなったとみなして運転開始するようにしている。
【００１５】
ここでは、室内の上下温度差を小さくでき、暖房機器の省エネ性、室内空間の快適性を向上させることができる。
請求項６に係る空気調和システムは、請求項３または４の空気調和システムにおいて、空気調和機は、室内に設置され周辺温度を検知可能でありかつ放射温度計を有する室内機をさらに有し、放射温度計が検知した温度と室内機が検知した温度との差が所定の温度差を超えた場合に運転開始する。
【００１６】
この空気調和システムでは、室内上方に設置された室内機は、周辺温度を検知するとともに、放射温度計によって室外機から離れた室内下方の温度も検知する。そして、ここでは、放射温度計が検知した温度と室内機が検知した温度との差が大きくなった場合に、室内上方と室内下方との温度差が大きくなったとみなして運転開始するようにしている。
【００１７】
ここでも、室内の上下温度差を小さくでき、暖房機器の省エネ性等を向上させることができる。
請求項７に係る空気調和システムは、請求項３または４の空気調和システムにおいて、空気調和機は、室内と室外との温度差（以下、内外温度差ともいう）が所定の温度差を超えた場合に運転開始する。
【００１８】
この空気調和システムでは、内外温度差が大きくなった場合に運転開始するようにすることで、個々のユーザーに適した空気制御を行えるようにしている。
請求項８に係る空気調和システムは、請求項３または４の空気調和システムにおいて、暖房機器の運転開始に伴って運転開始する。
この空気調和システムでは、暖房機器と同時に運転開始することで、個々のユーザーに適した空気制御を行えるようにしている。
【００１９】
請求項９に係る空気調和システムは、請求項３または４の空気調和システムにおいて、暖房機器は、周辺温度を検知可能である。空気調和機は、室内機と、リモコンとをさらに有している。室内機は、室内に設置され周辺温度を検知可能である。リモコンは、調和部の動作を遠隔操作可能かつ周辺温度を検知可能である。空気調和機は、リモコンまたは暖房機器が検知した温度と室内機が検知した温度との差が所定の温度差を超えた場合に運転開始する。
【００２０】
この空気調和システムでは、暖房機が検知した温度と室内機が検知した温度との差が大きくなった場合に、室内上方と室内下方との温度差が大きくなったとみなして運転開始するようにしている。
ここでも、室内の温度差を小さくでき、暖房機器の省エネ性等を向上させることができる。
【００２１】
請求項１０に係る空気調和システムは、請求項３から９のいずれかの空気調和システムにおいて、空気調和機は、室内に設置され周辺温度を検知可能でありかつ放射温度計を有する室内機をさらに有している。空気調和機は、放射温度計が検知した温度と室内機が検知した温度との差に基づいて運転強度を決定する。
この空気調和システムでは、放射温度計が検知した温度と室内機が検知した温度との差を、室内上方と室内下方との温度差とみなして、この温度差に基づいて運転強度を決定できるようにしている。
【００２２】
ここでは、室内の温度差の大きさに応じた運転強度で運転制御されるため、暖房機器の省エネ性、室内空間の快適性を向上させることができる。
請求項１１に係る空気調和システムは、請求項３から９のいずれかの空気調和システムにおいて、室内上方の温度と室内下方の温度とを検知可能であり、室内上方と室内下方との温度差に基づいて運転強度を決定する。
【００２３】
この空気調和システムでは、室内の温度差の大きさに応じた運転強度で空気調和機が運転制御され、この結果、暖房機器の省エネ性等を向上させることができる。
請求項１２に係る空気調和システムは、請求項３から１１のいずれかの空気調和システムにおいて、暖房機器または空気調和機のいずれか運転コストの小さい方の運転強度を増大させる。
【００２４】
この空気調和システムでは、暖房機器と空気調和機との間で種々の情報を交換し、運転コストが小さいと判断された方の機器が優先して運転されるため、空気調和システム全体としても運転コストが低減される。
請求項１３に係る空気調和システムは、請求項３から１２のいずれかの空気調和システムにおいて、空気調和機及び暖房機器の一方が運転強度を増大して運転し得なくなった場合に、空気調和機及び暖房機器の他方の運転強度を増大させる。
【００２５】
この空気調和システムでは、空気調和機及び暖房機器の一方が、例えば、故障、燃料が少なくなった等の原因で運転停止または運転強度を落として運転する必要が生じた場合に、他方の機器を優先して運転させることで、継続して室内の空気調和を行えるようにしている。
請求項１４に係る空気調和システムは、請求項２の空気調和システムにおいて、他の機器は、体温計及び血圧計を含む健康機器の少なくともいずれか１つである。健康機器は、ユーザーの身体情報の測定が終了すると測定された身体情報を空気調和機に送信する。
【００２６】
この空気調和システムでは、体温計または血圧計と共同して空気調和を行うことにより、ユーザーの体調に合った室内環境が生成される。ここでは、健康機器からの情報が測定終了と同時に空気調和機に送信されるため、ユーザーに適した室内環境が比較的速やかに生成される。
請求項１５に係る空気調和システムは、請求項１４の空気調和システムにおいて、健康機器が測定した身体情報に基づいて現在の運転条件を変更すべきことをユーザーに提案する。また、この空気調和システムは、提案された内容の一部または全部がユーザーの選択により実行可能である。
【００２７】
この空気調和システムでは、ユーザーは、自己の身体情報に基づいた運転条件を知ることができ、これに従うことでその時の体調にあった室内環境を得ることができる。
請求項１６に係る空気調和システムは、請求項１４または１５の空気調和システムにおいて、健康機器は体温計である。体温計が測定したユーザーの体温が予め設定された基準温度を超える場合は、室内の温度を上昇させるよう運転制御される。
【００２８】
この空気調和システムでは、ユーザーに熱がある場合は室内の温度が上昇するため、ユーザーは、自己の体調にあった室内環境を得ることができる。
請求項１７に係る空気調和システムは、請求項１４から１６のいずれかの空気調和システムにおいて、健康機器は体温計である。体温計が測定したユーザーの体温が予め設定された基準温度を超える場合は、室内の湿度を上昇させるよう運転制御される。
【００２９】
この空気調和システムでは、ユーザーに熱がある場合は室内の湿度が上昇するため、ユーザーは、自己の体調にあった室内環境を得ることができる。
【００３０】
【発明の実施の形態】
［空気調和システムの全体構成］
本発明の一実施形態に係る空気調和システムは、他の機器と、他の機器と共同して空気調和を行う空気調和機１（図１参照）とを備えている。
他の機器は、暖房機器、健康機器、情報家電機器等の各種機器を含んでおり、本発明では、このうち１または複数台の機器が用いられる。他の機器は、空気調和機１と共同した空気調和を行うための所定のプログラムを組み込んだ制御部を有しているのが好ましいが、同様の機能を空気調和機１の制御部（後述）に持たせることで省略可能である。
【００３１】
ここで、図１に、本発明の一実施形態に係る空気調和機１の外観を示す。
この空気調和機１は、室内の壁面などに取り付けられる室内機２と、室外に設置される室外機３とから構成されている。室外機３は、室外熱交換器や室外ファンなどを収納する室外空調ユニット５と、加湿空気を室内機２に搬送する加湿ユニット４とを備えている。室内機２内には室内熱交換器が収納され、室外機３内には室外熱交換器が収納されている。そして、各熱交換器およびこれらの熱交換器を接続する冷媒配管６が、冷媒回路を構成している。また、加湿ユニット４と室内機２との間には、加湿ユニット４からの空気を室内機２側に供給するための給気配管７が設けられている。
【００３２】
なお、この空気調和機１は、室内機２及び室外機３からなる調和部４１と、調和部４１の運転を制御する制御部（図示せず）とを有していると考えることが可能である。
制御部は、他の機器と情報交換可能に接続されており、他の機器の制御部との間で種々の情報を交換することができる。情報交換のための手段としては、例えば、ブルートゥース、赤外線等の無線の通信手段が用いられる。交換される情報としては、例えば、他の機器が暖房機器である場合は、室内上方及び下方の温度、内外温度差等が挙げられ、他の機器が健康機器である場合は、ユーザーの体温、血圧等が挙げられる。
【００３３】
また、制御部には、調和部４１の動作を遠隔制御するためのリモコン（図示せず）が接続されている。
以下、本発明の空気調和システムについて具体的に説明する。
［第１実施形態］
図２に、本発明の第１実施形態に係る空気調和システムの概要を示す。
【００３４】
この空気調和システムでは、他の機器として、石油ファンヒータ、ガスファンヒータ等の暖房機器が用いられる。ここでは、石油ファンヒータを用いた場合を例に説明する。石油ファンヒータ５１は、所定のプログラムが組み込まれた制御部を有している。
この空気調和システムでは、空気調和機１は、通常の暖房運転を行うとともに、上下温度差が大きくなった場合は、送風運転を行いサーキュレータとして作動する。
【００３５】
室内上方の温度を検知するための手段としては、室内機２に設けられた温度センサ４３等が用いられる。また、室内下方の温度を検知するための手段としては、石油ファンヒータ５１に設けられた温度センサ５２、空気調和機１のリモコンに設けられた温度センサ（図示せず）や、室内機２に設けられた放射温度計（図示せず）が用いられる。放射温度計は、赤外線を用いて温度を計測できるため、室内機２の設置箇所のように室内の上方位置に設けられている場合であっても、床周辺の下方位置の温度を計測することができる。なお、放射温度計は、石油ファンヒータ５１のように室内機２以外の機器、場所に設けられてもよい。
【００３６】
空気調和機１がサーキュレータとして運転開始する場合としては、例えば、リモコンの温度センサまたは石油ファンヒータ５１の温度センサ５２が検知した温度と、室内機２の温度センサ４３が検知した温度との差が所定の温度差を超えた場合が挙げられるが、室内機２の放射温度計が検知した温度と、室内機２の温度センサ４３が検知した温度との差が所定の温度差を超えた場合、内外温度差が所定の温度差を超えた場合でもよく、石油ファンヒータ５１が運転開始した場合等であってもよい。
【００３７】
サーキュレータとして作動する場合の空気調和機１の運転強度は、放射温度計が検知した温度と温度センサ４３が検知した温度との差に基づいて決定される。なお、室内上方の温度と室内下方の温度とを検知可能である場合は、上下温度差に基づいて運転強度が決定されてもよい。
この空気調和システムでは、石油ファンヒータ５１または空気調和機１のいずれか運転コストの小さい方の運転強度を増大させる。運転コストの大小の判断のための要素としては、各機器の単位時間当たりの出力量等が挙げられ、空気調和機１と石油ファンヒータ５１との間で情報交換される。また、この空気調和システムでは、石油ファンヒータ５１が、例えば、故障、燃料切れ等を起こした場合に、空気調和機１が自動的に単独で運転するようにしてもよい。
【００３８】
ここで、図３に基づいて、空気調和機１及び石油ファンヒータ５１の運転動作の一例について説明する。空気調和機１及び石油ファンヒータ５１の各制御部には、予めここで説明するような動作を行うよう所定のプログラムが組み込まれている。
この例では、室内の上部温度及び下部温度が共に低い場合は、空気調和機１及び石油ファンヒータ５１の双方が運転する。このとき、空気調和機１は、通常の暖房運転を行う。そして、下部温度が高くなったが上部温度がまだ低い場合は、空気調和機１は運転停止し、石油ファンヒータ５１のみが運転する。逆に、上部温度が高くなったが下部温度が低まだ低い場合は、石油ファンヒータ５１が運転するとともに、空気調和機１はサーキュレータとして送風運転を行う。なお、後者の場合は、上部温度と下部温度との温度差が大きい場合にも適している。そして、上部温度及び下部温度共に高くなった場合は、空気調和機１及び石油ファンヒータ５１の双方の運転が停止する。
【００３９】
このように構成された空気調和システムでは、空気調和機１及び石油ファンヒータ５１は、上下温度差等の種々の情報を交換し、そのような情報に基づいて決定された運転条件で運転するよう制御される。これにより、この空気調和システムでは、空気調和機１及び石油ファンヒータ５１は連動して動作でき、共同して空気調和を行うことができる。
【００４０】
したがって、この空気調和システムでは、空気調和機１または石油ファンヒータ５１のみで室内に温熱空間を生成する場合に比べ、エネルギー効率の悪い運転が抑制され、省エネ性が向上する。また、空気調和機１及び石油ファンヒータ５１の共同した空気調和により、ユーザーにとって快適な室内空間が得られる。
［第２実施形態］
図４に、本発明の第２実施形態に係る空気調和システムの概要を示す。
【００４１】
この空気調和システムでは、他の機器として、体温計５３、血圧計等、ユーザーの身体情報を測定するための健康機器が用いられる。ここでは、体温計５３を用いた場合を例に説明する。ここで用いられる体温計５３は、所定のプログラムが組み込まれた制御部を有している。所定のプログラムとしては、ユーザーの体温の測定が終了した場合に、その体温を情報として空気調和機１の制御部に送信するためのもの等が挙げられる。なお、他の機器として血圧計を用いた場合は、情報としては血圧が含まれる。
【００４２】
一方、空気調和機１は、体温計５３からユーザーに関する情報を受け、例えばユーザーの体温が平熱を超えている場合は、室内に病人がいると判断して、室内の温度及び湿度が上昇するよう運転条件が変更され、変更後の運転条件により空気調和を行う。なお、ユーザーの平熱は、例えば、空気調和機１の制御部に予め設定することができ、３６．５℃〜３７．０℃のように所定の温度幅を有して設定可能であるのが好ましい。
【００４３】
また、この空気調和システムでは、空気調和機１の運転条件が変更される前に、体温計５３が測定した身体情報に基づいて現在の運転条件を変更すべきことをユーザーに提案するよう構成されてもよい。このような提案の内容としては、ユーザーの体温が平熱を超えている場合に、例えば、空気調和機１が温度及び湿度を上昇させること、または、温度及び湿度のいずれかのみを上昇させること等が含まれる。提案される内容は、例えば、空気調和機１の室内機２またはリモコン等を通して、音声によりまたはディスプレイにメッセージを表示させる等してユーザーに知らせる。この場合、提案内容を知ったユーザーは、提案内容の全てが実行されること、または、その一部が実行されること、或いは、全く実行されないことを選択することができる。なお、提案内容は、ユーザーの選択を待たずに、空気調和機１により自動的に行われるように設定されていてもよい。
【００４４】
このように構成された空気調和システムでは、まず、ユーザーにより体温が測定され、測定が終了すると、ユーザーの体温は情報として空気調和機１に送信される。すると、空気調和機１の制御部において、そのユーザーに適した空間が生成されるよう運転条件が求められ、上述のようにユーザーに対し提案を行うよう構成されている場合は、例えば、空気調和機１のリモコンのディスプレイ等に、現在の運転条件を変更すべきことを促すメッセージが表示される。そして、ユーザーがこの提案に応じて、例えば、その提案内容の全てが実行されるようリモコン等により空気調和機１に指示すると、空気調和機１は、室内の温度及び湿度を上昇させるよう運転を開始する。
【００４５】
この空気調和システムでは、空気調和機１及び体温計５３は、種々の情報を交換することができるため、連動して動作でき、共同して空気調和を行うことができる。この空気調和システムでは、空気調和機がユーザーの体調等に応じて変更された運転条件で運転されるため、そのユーザーに適した室内空間が生成される。
【００４６】
［他の実施形態］
（ａ）他の機器は、暖房機器、健康機器のみでなく、情報家電機器であってもよい。情報家電とは、インターネット接続機能を持つ家電機器であって、例えば、そのような通信機能を備えたテレビ、電子レンジ、冷蔵庫等の電化製品を含む。
【００４７】
（ｂ）他の機器及び空気調和機を赤外線を用いた通信手段により接続した場合において、例えば、石油ファンヒータ５１に所定のプログラムを組み込んだ制御部を設けた場合は、赤外線リモコンにより石油ファンヒータ５１から空気調和機１に情報を送信するようにしてもよい。この場合は、従来の空気調和機をそのまま用いることができる。
【００４８】
【発明の効果】
請求項１に係る発明では、他の機器との種々の情報を交換することにより他の機器と連動した動作が可能となり、他の機器と共同して空気調和を行うことができる。
請求項２に係る発明では、空気調和機及び他の機器は、情報交換により連動した動作が可能となり、共同して空気調和を行うことができる。
【００４９】
請求項３に係る発明では、一般に、暖房機器として石油ファンヒータやガスファンヒータが用いられることが多いことから、特にこのような機器と共同して空気調和を行う場合を対象としている。
請求項４に係る発明では、空気調和機がサーキュレータとして作動することにより、暖房機器により生成された暖かい空気を室内全体に拡散させることができるため、温度差の少ない空間を生成できる。
【００５０】
請求項５に係る発明では、室内の上下温度差を小さくでき、暖房機器の省エネ性、室内空間の快適性を向上させることができる。
請求項６に係る発明では、室内の上下温度差を小さくでき、暖房機器の省エネ性等を向上させることができる。
請求項７に係る発明では、内外温度差が大きくなった場合に運転開始するようにすることで、ここのユーザーに適した空気制御を行えるようにしている。
【００５１】
請求項８に係る発明では、暖房機器と同時に運転開始することで、個々のユーザーに適した空気制御を行えるようにしている。
請求項９に係る発明では、室内の温度差を小さくでき、暖房機器の省エネ性等を向上させることができる。
請求項１０に係る発明では、室内の温度差の大きさに応じた運転強度で運転制御されるため、暖房機器の省エネ性、室内空間の快適性を向上させることができる。
【００５２】
請求項１１に係る発明では、室内の温度差の大きさに応じた運転強度で空気調和機が運転制御され、この結果、暖房機器の省エネ性等を向上させることができる。
請求項１２に係る発明では、暖房機器と空気調和機との間で種々の情報を交換し、運転コストが小さいと判断された方の機器が優先して運転されるため、空気調和システム全体としても運転コストが低減される。
【００５３】
請求項１３に係る発明では、空気調和機及び暖房機器の一方が、例えば、故障、燃料が少なくなった等の原因で運転停止または運転強度を落として運転する必要が生じた場合に、他方の機器を優先して運転させることで、継続して室内の空気調和を行えるようにしている。
請求項１４に係る発明では、健康機器からの情報が測定終了と同時に空気調和機に送信されるため、ユーザーに適した室内環境が比較的速やかに生成される。
【００５４】
請求項１５に係る発明では、ユーザーは、自己の身体情報に基づいた運転条件を知ることができ、これに従うことでその時の体調にあった室内環境を得ることができる。
請求項１６に係る発明では、ユーザーに熱がある場合は室内の温度が上昇するため、ユーザーは、自己の体調にあった室内環境を得ることができる。
【００５５】
請求項１７に係る発明では、ユーザーに熱がある場合は室内の湿度が上昇するため、ユーザーは、自己の体調にあった室内環境を得ることができる。
【図面の簡単な説明】
【図１】本発明の一実施形態に係る空気調和機の外観構成を示す斜視図。
【図２】本発明の第１実施形態に係る空気調和システムの概要を示す図。
【図３】居室上部温度と居室下部温度との関係における、他の機器及び暖房機器の運転可能領域を示す図。
【図４】本発明の第２実施形態に係る空気調和システムの概要を示す図。
【符号の説明】
１　空気調和機
２　室内機
４１　調和部
５１　石油ファンヒータ
５３　体温計
【図１】
2004020164.tif 000003
【図２】
2004020164.tif 000004
【図３】
2004020164.tif 000005
【図４】
2004020164.tif 000006